(57)【要約】      （修正有）【課題】固定保護板の取付状況による問題を解決すると共に、危険部位への侵入に対して注意喚起を行うことで、合理的に利用者の安全を確保する挟まれ防止装置を提供する。【解決手段】乗客コンベア１は、建設物の天井１０の下面における手摺ベルト３と交差をなす部分の下階側に、固定保護板１１及び可動保護板１２を設け、乗客コンベア１の外側デッキ９にガラスパネル６と平行に立設した柵状体１５からなり、固定保護板１１の下部を固定する係合部１６と、固定保護板１１より下階側でかつ手摺ベルト３の外側を検出範囲Ｑとする乗り出し検出部１７と、乗り出し検出部１７の検出結果に応じて警報を発する警報装置１８とを備えた挟まれ防止装置１４を有する。【選択図】図１
2013001554.tif 000002
【特許請求の範囲】
【請求項１】
上下に傾斜走行する無端状の踏段と、踏段の両側に立設された主としてガラスパネルよりなる欄干により案内され、踏段と共に同一速度で循環走行する手摺ベルトと、ガラスパネルの外側下部に配設される外側デッキとを有する乗客コンベアであって、
建設物の天井、はりその他これに類する部分又は隣接する乗客コンベアの下面における手摺ベルトと交差をなす部分の下階側に、それぞれ手摺ベルトの下方に達する固定保護板及びさらにその下階側に可動保護板を設けた乗客コンベアにおいて、
乗客コンベアの外側デッキにガラスパネルと平行に立設した柵状体からなり、
固定保護板の下部を固定する係合部と、
固定保護板より下階側でかつ手摺ベルトの外側を検出範囲とする乗り出し検出部と、
前記乗り出し検出部の検出結果に応じて警報を発する警報装置と
を備えた挟まれ防止装置を有することを特徴とする乗客コンベア。
【請求項２】
前記固定保護板が垂直板部と、その下階側の前縁に設けた垂直円筒部とからなり、
前記係合部は、前記柵状体の上面に設けられた固定保護板の垂直円筒部下部が挿入できる大きさの穴、もしくは固定保護板の垂直円筒部下部が挿入できる穴と垂直板部下部が挿入できる細長溝とからなる鍵穴であることを特徴とする請求項１に記載の挟まれ防止装置。
【請求項３】
前記乗り出し検出部は、
検出範囲を前記柵状体の上部から概ね可動保護板の下階側前縁と手摺ベルト上面の交点の方向に向けて設置した反射形の光電センサーである
ことを特徴とする請求項１に記載の挟まれ防止装置。
【請求項４】
前記柵状体の下階側の端部は、固定保護板の下階側前縁から可動保護板の下階側前縁までの範囲にあり、
垂直もしくは上階側を上にして傾くように構成した
ことを特徴とする請求項１に記載の挟まれ防止装置。
【請求項５】
前記警報装置は、ブザー又は音声アナウンス装置もしくはその両方を備えていることを特徴とする請求項１に記載の挟まれ防止装置。
【発明の詳細な説明】
【技術分野】
【０００１】
本発明の実施形態は乗客コンベアに関する。
【背景技術】
【０００２】
上下に傾斜走行するエスカレータなどの乗客コンベアにおいて、乗客コンベアの手摺ベルト外縁から５００ｍｍ以内にある建設物の天井やはりその他のこれに類する部分又は隣接する乗客コンベアの下面が手摺ベルトと交差をなす部分までの間に、乗客コンベアの手摺ベルトから外側にはみ出た利用者の身体の一部や物品等が挟まれることがある。本発明の実施形態に係る技術は、前記のように利用者の身体の一部や物品等が挟まれるのを防止する挟まれ防止装置を備えた乗客コンベアに関する。
【０００３】
乗客コンベアは、人の移動手段として公共的に幅広く利用されており、その安全対策について種々検討されている。例えば建築基準法施行令に基づき、通常の使用状態において人又は物が挟まれ、又は障害物に衝突することがないようにしたエスカレーターの構造として、エスカレーターの手すりの上端部の外側とこれに近接して交差する建設物の天井、はりその他これに類する部分又は他のエスカレーターの下面（以下「交差部」という。）の水平距離が５００ｍｍ以下の部分にあっては、保護板を交差部の下面に設けることが定められている。
【０００４】
図３は、現行の法規にて規定される建設物の天井が手摺ベルトと交差をなす部分における保護板の設置を表す概略図である。また、図４は図３のＸ−Ｘ線一部省略断面図、図５は図３のＹ−Ｙ線一部省略断面図である。
【０００５】
各図において乗客コンベア５１は、利用者を載せる踏段５２及び手摺ベルト５３を有し、手摺ベルト５３は、踏段５２の両側に立設する欄干５４により案内され、欄干５４は主として手摺デッキ５５、ガラスパネル５６、内側デッキ５７、スカートガード５８、外側デッキ５９により構成されている。また、建設物の天井６０には固定保護板６１とその前方に隣接して可動保護板６２が取り付けられている。
【０００６】
このように固定保護板６１及び可動保護板６２が設置された乗客コンベアにおいて、万一、利用者が手摺ベルト５３の外側に頭や体を乗り出したり、手摺ベルト５３の外側に荷物などがはみ出たりした場合、利用者の頭や体又は荷物などが可動保護板６２に接触することで天井６０と手摺ベルト５３との交差部が近いことを利用者に認識させる警告となる。さらに固定保護板６１が利用者の頭や体又は荷物などの進行を阻害し、天井６０と手摺ベルト５３との間に利用者の頭や体又は荷物などが挟まれることが回避されて、安全が確保される。
【０００７】
また、建設物の天井、はりその他これに類する部分又は隣接する乗客コンベアの下面が手摺ベルトと交差をなす部分における挟まれ防止に関する技術としては、挟まれの発生する危険部位への侵入を検出して警告を発するものや、固定保護板の上端部を天井に固定し、下端部を外側デッキに固定することにより固定保護板を天井と外側デッキに固定したもの、天井から吊持ちされる可動保護板及び天井と外側デッキとに固定した固定保護板を設け、それ以外に下端が外側デッキに固定され、前記固定保護体と欄干との間隙を塞ぐ第３の保護体を設けることにより、欄干と固定保護板との間に身体が挟まれる事故を防止しようとしたものが提案されている。
【先行技術文献】
【特許文献】
【０００８】
【特許文献１】特開２００７−３１４２９４号
【特許文献２】実開平１−６８３７８号
【特許文献３】実開平１−１４９３８５号
【発明の概要】
【発明が解決しようとする課題】
【０００９】
従来の建設物の天井、はりその他これに類する部分又は隣接する乗客コンベアの下面が手摺ベルトと交差をなす部分における挟まれ防止の方法は、固定保護板を交差する建築はり・天井又は隣接する乗客コンベアの外装下面の垂直面とほぼ同一平面に取り付けることとされており、一般的にはこの内容で挟まれ事故の多数を防止し得るものとして採用されている。
【００１０】
しかし、固定保護板の取付位置は建設物側の条件に依存しているため、固定保護板と欄干の隙間寸法（図５のＬ）は変化し、これについて万一の状況を考えると、図６に示すように乗客Ａが上半身を欄干５４の外側に乗り出して固定保護板６１を外側に押しのけた場合には、手摺ベルト５３と固定保護板６１の間に乗客Ａの上半身が挟まれる事故が発生する可能性がある。
【００１１】
さらに、保護板の取付部分は外装などの薄板や石膏ボードであることから大きな力がかかった際に取付部が変形することなどを考慮すると、従来より提案されている技術によっても万全を期することは難しい。
【００１２】
また、危険部位への侵入を検出して警告を発する場合では、利用者が意識のない状態で手摺ベルトにもたれかかっている状況や、警報に気づいても回避が遅れた場合には、事故の発生を防ぐことはできない。
【００１３】
そこで、本発明の実施形態は、固定保護板の取付状況による問題を解決すると共に、危険部位への侵入に対して注意喚起を行うことで、合理的に利用者の安全を確保する挟まれ防止装置を提供することを目的としている。
【課題を解決するための手段】
【００１４】
本発明の実施の形態に係る乗客コンベアは、上下に傾斜走行する無端状の踏段と、踏段の両側に立設された主としてガラスパネルよりなる欄干により案内され、踏段と共に同一速度で循環走行する手摺ベルトと、ガラスパネルの外側下部に配設される外側デッキとを有する乗客コンベアであって、建設物の天井、はりその他これに類する部分又は隣接する乗客コンベアの下面における手摺ベルトと交差をなす部分の下階側に、それぞれ手摺ベルトの下方に達する固定保護板及びさらにその下階側に可動保護板を設けた乗客コンベアにおいて、乗客コンベアの外側デッキにガラスパネルと平行に立設した柵状体からなり、固定保護板の下部を固定する係合部と、固定保護板より下階側でかつ手摺ベルトの外側を検出範囲とする乗り出し検出部と、前記乗り出し検出部の検出結果に応じて警報を発する警報装置とを備えた挟まれ防止装置を有することを特徴とするものである。
【図面の簡単な説明】
【００１５】
【図１】本発明の第１の実施の形態を示すものであって、建設物の天井が手摺ベルトと交差をなす部分に乗客コンベアの挟まれ防止装置を設けた状態を表す概略側面図である。
【図２】図１おけるＺ−Ｚ線一部省略断面図であって、主として固定保護板と挟まれ防止装置との関係位置を示す図である。
【図３】従来例であって、法規に規定される建設物の天井が手摺ベルトと交差をなす部分における保護板の設置を表す概略側面図である。
【図４】図３におけるＸ−Ｘ線一部省略断面図である。
【図５】図３におけるＹ−Ｙ線一部省略断面図である。
【図６】挟まれ状況を表す概略図である。
【発明を実施するための形態】
【００１６】
以下、本発明の実施例について、図面を参照して説明する。
【実施例１】
【００１７】
図１及び図２は、本発明の第１の実施の形態を示す。図１に示すように、乗客コンベア（エスカレータ）１は、利用者を乗せる踏段２及び手摺ベルト３を有している。手摺ベルト３は、踏段２の両側に立設する欄干４に案内され、踏段２と共に同一速度で同一方向に循環走行する。欄干４は、手摺デッキ５、ガラスパネル６、内側デッキ７、スカートガード８及び外側デッキ９により構成されている。手摺デッキ５は手摺ベルト３の受けレールとなり、ガラスパネル６は乗客コンベア１のガード壁を構成し、内側デッキ７はガラスパネル６の内側下部に配設され、スカートガード８は内側デッキ７の下部に連設されて欄干４と踏段２との間を閉塞し、外側デッキ９はガラスパネル６の外側下部に配設される。また、乗客コンベア１の手摺ベルト３の上端部の外側とこれに近接して交差する建設物の天井１０には、その交差部の下方に形成される三角危険領域に固定保護板１１と可動保護板１２が取り付けられており、各々の保護板は、下階側の前縁に設けた垂直円筒部１１ａ，１２ａ及びその後方に垂直円筒部１１ａ，１２ａと一体にされた垂直板部１１ｂ，１２ｂから構成されている。
【００１８】
ここで１４は挟まれ防止装置を示し、挟まれ防止装置１４は、外側デッキ９にガラスパネル６と平行に立設した柵状体１５に固定保護板１１の下部を固定する係合部１６と乗り出し検出部１７と警報装置１８とを備えた構成となっている。
【００１９】
係合部１６は、穴１９に固定保護板１１の垂直円筒部１１ａの下部を挿入する構造となっている。なお、図示は省略するが、係合部を固定保護板の垂直円筒部下部が挿入できる穴と垂直板部下部が挿入できる細長溝とからなる鍵穴としてもよい。また、乗り出し検出部１７は、柵状体１５の上部から概ね可動保護板１２の下階側前縁と手摺ベルト３の上面との交点（Ｐ）の方向に向けて設置した反射形の光電センサー２０を備えており、検出範囲（Ｑ）への物体の進入を検出する。なお、警報装置１８には柵状体１５に内蔵した音声アナウンス装置２１を備えている。
【００２０】
このようにして乗客コンベア１に挟まれ防止装置１４を設置した状況において、万一、利用者が手摺ベルト３の外側に頭や体を乗り出して下階側から移動してきた場合に、まず利用者の体の一部が光電センサー２０の検出範囲（Ｑ）に侵入すると音声アナウンス装置２１が利用者に対して警報を発する。これにより、通常の利用者は手摺ベルトの内側に体を引っ込めるので、挟まれ事故は発生しない。
【００２１】
さらに利用者が無意識の状態にあったり回避が遅れた場合においても、固定保護板１１及び柵状体１５が係合した状態で設けられているので、それより先に利用者の体が進入することはない。
【００２２】
本発明の実施形態によれば、建設物の天井、はりその他これに類する部分又は隣接する乗客コンベアの下面が手摺ベルト３と交差をなす部分において、利用者が手摺ベルト３の外側に頭や体を乗り出した場合にも、建設物の天井１０と手摺ベルト３と交差をなす危険部位への近接を警告すると共に、万一何らかの理由により回避行動ができなかった場合においても、建設物の天井１０に固定された固定保護板１１と挟まれ防止装置１４を構成する外側デッキ９に設けた柵状体１５とが係合可能な構成とし、建設物の条件に依存することなく固定保護板１１と柵状体１５とが連結できるようにしたため、利用者の体が挟まれる事故が発生する危険部位に到達することはないので、確実に挟まれ事故の発生を防止することができる。
【００２３】
なお、本実施例はエスカレータを乗客コンベアとして説明したが、動く歩道に対しても適用できるものである。また、実施の形態は例示であり、発明の範囲は実施の形態に限られるものではない。
【００２４】
本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２５】
１……乗客コンベア（エスカレータ）      ２……踏段
３……手摺ベルト                        ４……欄干
５……手摺デッキ                        ６……ガラスパネル
７……内側デッキ                        ８……スカートガード
９……外側デッキ                      １０……建設物の天井
１１……固定保護板                      １１ａ…垂直円筒部
１１ｂ…垂直板部                        １２……可動保護板
１２ａ…垂直円筒部                      １２ｂ…垂直板部
１４……挟まれ防止装置                  １５……柵状体
１６……係合部                          １７……乗り出し検出部
１８……警報装置                        １９……穴
２０……光電センサー                    ２１……音声アナウンス装置
Ｐ……可動保護板の下階側前縁と手摺ベルトの上面との交点
Ｑ……光電センサーの検出範囲
５１……乗客コンベア                    ５２……踏段
５３……手摺ベルト                      ５４……欄干
５５……手摺デッキ                      ５６……ガラスパネル
５７……内側デッキ                      ５８……スカートガード
５９……外側デッキ                      ６０……建設物の天井
６１……固定保護板                      ６２……可動保護板
【図１】
2013001554.tif 000003
【図２】
2013001554.tif 000004
【図３】
2013001554.tif 000005
【図４】
2013001554.tif 000006
【図５】
2013001554.tif 000007
【図６】
2013001554.tif 000008